(57)【要約】【課題】掃除しやすく、泡切れ性が良好な排水枡のトラップ取付構造を提供する。【解決手段】排水枡２の凹部２ａの底中央に円形の開口２ｂを設け、該開口２ｂに上方よりフランジ部３ｂを有するトラップ固定部材３を差し込み、該トラップ固定部材３に下方よりトラップ本体４を締め付けて排水枡２の下部にトラップ４を取り付ける取付構造において、前記排水枡２の凹部２ａおよび該凹部２ａに当接する前記トラップ固定部材３のフランジ部３ｂが、水平断面は円形で上方から下方の前記開口に向かって縮径した形状に形成されている。【選択図】図３
2007198021.tif 000002
【特許請求の範囲】
【請求項１】
排水枡の凹部の底中央に円形の開口を設け、該開口に上方よりフランジ部を有するトラップ固定部材を差し込み、該トラップ固定部材に下方よりトラップ本体を締め付けて排水枡の下部にトラップを取り付ける取付構造において、
前記排水枡の凹部および該凹部に当接する前記トラップ固定部材のフランジ部が、水平断面は円形で上方から下方の前記開口に向かって縮径した形状に形成されていることを特徴とする排水枡のトラップ取付構造。
【請求項２】
前記排水枡の凹部の上端に段部を設け、該段部に、洗い場面と面一となるように排水カバーを載置したことを特徴とする請求項１に記載の排水枡のトラップ取付構造。
【発明の詳細な説明】
【技術分野】
【０００１】
本発明は、排水枡の底側にトラップ固定部材を介してトラップを取り付ける取付構造に関するものである。
【背景技術】
【０００２】
従来、特許文献１に開示されているように、周囲が勾配の緩やかな擂り鉢状のテーパー面に形成された排水口内に、上方よりトラップ固定部材を差し込み、トラップ固定部材に下方より排水管の接続部を締め付けて取り付けた構造が存在する。
【特許文献１】実公平７−１４４５３号公報
【発明の開示】
【発明が解決しようとする課題】
【０００３】
特許文献１に開示されている構造では、トラップ固定部材の上面は平面であるため、排水口内に流れ込む排水の泡切れ性が悪いという問題点があった。
【課題を解決するための手段】
【０００４】
本発明は上記従来の問題点に鑑み案出したものであって、泡切れ性が良好となる排水枡のトラップ取付構造を提供せんとするものであり、その請求項１は、排水枡の凹部の底中央に円形の開口を設け、該開口に上方よりフランジ部を有するトラップ固定部材を差し込み、該トラップ固定部材に下方よりトラップ本体を締め付けて排水枡の下部にトラップを取り付ける取付構造において、前記排水枡の凹部および該凹部に当接する前記トラップ固定部材のフランジ部が、水平断面は円形で上方から下方の前記開口に向かって縮径した形状に形成されていることである。
【０００５】
また、請求項２は、前記排水枡の凹部の上端に段部を設け、該段部に、洗い場面と面一となるように排水カバーを載置したことである。
【発明の効果】
【０００６】
本発明は、排水枡の凹部の底中央に円形の開口を設け、該開口に上方よりフランジ部を有するトラップ固定部材を差し込み、該トラップ固定部材に下方よりトラップ本体を締め付けて排水枡の下部にトラップを取り付ける取付構造において、前記排水枡の凹部および該凹部に当接する前記トラップ固定部材のフランジ部が、水平断面は円形で上方から下方の前記開口に向かって縮径した形状に形成されていることにより、排水枡の凹部およびトラップ固定部材のフランジ部が、開口に向かって縮径した形状となっているため、泡を含んだ排水が流入する空間が確保されているので、防水パン上の泡切れ性が極めて良好なものとなる。
また、排水枡の凹部およびトラップ固定部材のフランジ部は円形であるため、隅角部が存在せず、汚れが溜まりにくく、掃除しやすいものとなる。
【０００７】
また、前記排水枡の凹部の上端に段部を設け、該段部に、洗い場面と面一となるように排水カバーを載置したことにより、排水カバーが載置しやすいものとなり、載置した状態では排水カバーと洗い場面が面一状をなして、極めてすっきりとした設置状態が得られるものとなる。
【実施例】
【０００８】
以下、本発明の実施例を図面に基づいて説明する。
図１は、浴室の底面側の全体配置構成図であり、浴室の洗い場面１の浴槽１０側には、凹み状に排水枡２が形成され、この排水枡２の下部には排水トラップ４が連結されており、この排水トラップ４は、浴槽１０の排水口１０ａと連通する排水配管７が接続され、また、排水トラップ４の出口側には排出管１１が接続されている。なお、図１において、図中６はエプロン部である。
【０００９】
排水枡２の周辺の縦断面拡大図を図２に示す。
洗い場１のエプロン部６側に一体形成された排水枡２には凹部２ａが形成されて、凹部２ａの底中央に円形の円形開口２ｂが上下に貫通形成されている。
なお、この排水枡２の凹部２ａは、水平断面は円形で、垂直断面は傾斜した直線で、上方から下方の開口２ｂに向かって縮径した擂り鉢形状に形成されている。
【００１０】
この排水枡２の円形開口２ｂ内には、図示しないがパッキン等の止水材を介して上方よりトラップ固定部材３が差し込まれ、このトラップ固定部材３は、円形開口２ｂ内に垂下状に差し込まれる筒部３ａの上端側にフランジ部３ｂが一体形成されており、このトラップ固定部材３のフランジ部３ｂは、前記排水枡２の凹部２ａに対応した形状に形成されている。即ち、トラップ固定部材３のフランジ部３ｂは、水平断面は円形で、垂直断面は傾斜した直線で、上方から下方に向かって縮径した擂り鉢形状に形成されている。
なお、トラップ固定部材３の筒部３ａの外周には雄ネジが形成されており、この雄ネジに対し、下方側より排水トラップ４の上端側の雌ネジを締め付けることで、トラップ固定部材３を介して排水枡２の下方に排水トラップ４が取り付けられるものである。
【００１１】
なお、この排水トラップ４には、前記浴槽配管７が接続される流入口４ａと、前記排出管１１が接続される流出口４ｂが形成されており、中央部には垂下状に防臭筒４ｃが設けられている。
なお、排水枡２の凹部２ａの上面には、排水カバー５が覆設されるものであるが、排水カバー５は下方に向かって垂設された脚部５ａを備えており、この脚部５ａを図のようにトラップ固定部材３の筒部３ａの内周面に当接させた状態で、排水カバー５はトラップ固定部材３に差し込まれて取り付けられており、取り付けられた状態では、排水カバー５の上面と洗い場面１が面一状をなして、すっきりとした設置状態が得られるものである。
【００１２】
洗い場面１を流れる排水は、この排水カバー５の外周側の隙間から排水枡２の凹部２ａ内に流れ込み、トラップ固定部材３の筒部３ａを通り排水トラップ４内に流入されるのであるが、本例では、排水枡２の凹部２ａおよびトラップ固定部材３のフランジ部３ｂが擂り鉢形状に形成されて、泡が流れ込む空間が形成されているために、極めて泡切れが良いものとなり、排水中に含まれる泡が洗い場面１上に溢れるようなことがなくなる。
また、円形の擂り鉢状であるため、隅角部が存在しないために極めて掃除がしやすいものとなり、排水カバー５を取り外して容易に掃除することができる。
なお、このように凹部２ａがトラップ固定部材３のフランジ部３ｂで覆われ隠されるため、洗い場面１を構成する防水パンを加飾シートで加飾する際も、加飾の難しい凹部２ａを綺麗に加飾する必要がないから、加飾も容易なものとなる。
【００１３】
次に、図３は変更例を示すものであり、図３では、排水枡２の凹部２ａの上端に洗い場面１から一段低く段部２ｃを凹み状に形成させたものであり、この段部２ｃ上に、平板状の排水カバー５を容易に載置できるように構成したものである。
排水カバー５は、段部２ｃに載置された状態では、その上面と洗い場面１がほぼ面一状となり、すっきりとした設置状態が得られるものである。
なお、排水枡２の凹部２ａおよびトラップ固定部材３のフランジ部３ｂの形状は、前述した図２の形状と同様な擂り鉢形状に形成されている。
【００１４】
なお、図４は更に変形例を示すものであり、図４では、排水枡２の凹部２ａを半球状の曲面に形成したものであり、この凹部２ａの底中央部には円形の開口２ｂが形成されており、この開口２ｂ内に差し込まれるトラップ固定部材３の円形の筒部３ａの上部には、排水枡２の凹部２ａの曲面形状に対応した形状のフランジ部３ｂが一体形成されている。即ち、このトラップ固定部材３のフランジ部３ｂは、水平断面は円形で、垂直断面は傾斜した曲面で、上方から下方に向かって縮径した形状に形成されている。また、凹部２ａの上端の段部２ｃには、平板状の排水カバー５が載置されて、凹部２ａが覆蓋されている。
このように排水枡２の凹部２ａおよびトラップ固定部材３のフランジ部３ｂが半球状の曲面形状であっても、排水の泡切れが良好なものとなり、しかも掃除がしやすいものとなる。
【００１５】
なお、図５は更なる変形例を示すものであり、トラップ固定部材３のフランジ部３ｂおよび排水枡２の凹部２ａがそれぞれＳ字状の断面形状に形成されている。即ち、水平断面は円形で、Ｓ字状に上方から下方に向かって縮径した形状に形成されている。
このように排水枡２の凹部２ａおよびトラップ固定部材３のフランジ部３ｂがＳ字状の曲面形状であっても、排水の泡切れが良好なものとなり、しかも掃除がしやすいものとなる。
【００１６】
次に、図６の斜視図で、および図７の縦断面図で示す排水枡２においては、円形開口２ｂおよび水平断面が円形状の凹部２ａの上端に、下段部２ｄが円形状に形成され、その上方に四角形状の段部２ｃが形成されたものであり、排水枡２は四角い形状となっている。四角い段部２ｃ上には、四角い排水カバー５が洗い場面１と面一状に覆設されるものである。
なお、凹部２ａと対応する形状にトラップ固定部材３のフランジ部３ｂが形成され、フランジ部３ｂの上端には、外側へ突出して鍔部３ｃが一体形成されており、この鍔部３ｃが排水枡の下段部２ｄ上に載置されるように構成されている。
【００１７】
なお、本例では、浴室における排水枡を例示しているが、浴室に限らず、その他の衛生設備室の排水枡についても、このような構造を採用して泡切れ性を向上させることができるものである。
【図面の簡単な説明】
【００１８】
【図１】浴室の底面側の全体配置構成図である。
【図２】排水枡周辺の拡大縦断面構成図である。
【図３】変更例を示す排水枡の概略縦断面構成図である。
【図４】更に異なる変更例を示す排水枡の縦断面概略構成図である。
【図５】更に異なる変更例を示す排水枡の縦断面概略構成図である。
【図６】四角形状の排水枡の斜視構成図である。
【図７】図６の排水枡に排水カバーを覆設し、トラップ固定部材を取り付けた状態の縦断面構成図である。
【符号の説明】
【００１９】
１  洗い場面
２  排水枡
２ａ  凹部
２ｂ  開口
２ｃ  段部
２ｄ  下段部
３  トラップ固定部材
３ａ  筒部
３ｂ  フランジ部
３ｃ  鍔部
４  排水トラップ
５  排水カバー
５ａ  脚部
【図１】
2007198021.tif 000003
【図２】
2007198021.tif 000004
【図３】
2007198021.tif 000005
【図４】
2007198021.tif 000006
【図５】
2007198021.tif 000007
【図６】
2007198021.tif 000008
【図７】
2007198021.tif 000009